(57)【要約】【課題】無線通信端末又は音声認識による遠隔操作が不可能になった場合であっても、実行が開始された操作を強制的に終了させることができる画像読取記録装置及び画像読取装置を提供する。【解決手段】無線通信端末２１の送信部により送信された操作信号を受信する手段と、受信された操作信号に対応する操作を実行する手段と、強制終了信号を入力する手段と、入力された強制終了信号に対応する操作を強制終了させる手段と、を備えた画像読取記録装置１。【選択図】図１
2008099071.tif 000002
【特許請求の範囲】
【請求項１】
無線通信端末の送信部により送信された操作信号を受信する手段と、
受信された操作信号に対応する操作を実行する手段と、
強制終了信号を入力する手段と、
入力された強制終了信号に対応する操作を強制終了させる手段と、
を備えたことを特徴とする画像読取記録装置。
【請求項２】
無線通信端末の送信部により送信された操作信号を受信する手段と、
受信された操作信号に対応する操作を実行する手段と、
強制終了信号を入力する手段と、
入力された強制終了信号に対応する操作を強制終了させる手段と、
を備えたことを特徴とする画像読取装置。
【請求項３】
ユーザの操作音声を入力する手段と、
入力された操作音声に対応する操作を認識する手段と、
認識された操作を実行する手段と、
強制終了信号を入力する手段と、
入力された強制終了信号に対応する操作を強制終了させる手段と、
を備えたことを特徴とする画像読取記録装置。
【請求項４】
ユーザの操作音声を入力する手段と、
入力された操作音声に対応する操作を認識する手段と、
認識された操作を実行する手段と、
強制終了信号を入力する手段と、
入力された強制終了信号に対応する操作を強制終了させる手段と、
を備えたことを特徴とする画像読取装置。
【発明の詳細な説明】
【技術分野】
【０００１】
本発明は、無線通信端末又は音声認識による遠隔操作が可能な画像読取記録装置及び画像読取装置に関するものである。
【背景技術】
【０００２】
従来のこの種の技術としては、無線電波により通話及び制御信号の送受信を行うコードレス端末と、前記コードレス端末との通話を中継しかつ前記コードレス端末からの制御信号の受信によって前記コードレス端末によるファクシミリ送信の遠隔操作を可能とする無線ユニットとを備えたファクシミリ装置が知られている（例えば、特許文献１参照）。
【特許文献１】特開平５−２８４２６１号公報（請求項２、図１等）
【発明の開示】
【発明が解決しようとする課題】
【０００３】
しかし、前記コードレス端末等の無線通信端末、又はユーザが発する操作音声の音声認識により全ての操作を可能とした操作パネルレスのファクシミリ装置においては、何らかの不具合で無線通信端末又は音声認識による遠隔操作が不可能になった場合、実行が開始された操作を止めることができないという問題点がある。
【０００４】
本発明は、以上のような事情や問題点に鑑みてなされたものであり、無線通信端末又は音声認識による遠隔操作が不可能になった場合であっても、実行が開始された操作を強制的に終了させることができる画像読取記録装置及び画像読取装置を提供することを目的とする。
【課題を解決するための手段】
【０００５】
上記目的を達成するための請求項１の画像読取記録装置は、無線通信端末の送信部により送信された操作信号を受信する手段と、受信された操作信号に対応する操作を実行する手段と、強制終了信号を入力する手段と、入力された強制終了信号に対応する操作を強制終了させる手段と、を備えたものである。
【０００６】
請求項２の画像読取装置は、無線通信端末の送信部により送信された操作信号を受信する手段と、受信された操作信号に対応する操作を実行する手段と、強制終了信号を入力する手段と、入力された強制終了信号に対応する操作を強制終了させる手段と、を備えたものである。
【０００７】
請求項３の画像読取記録装置は、ユーザの操作音声を入力する手段と、入力された操作音声に対応する操作を認識する手段と、認識された操作を実行する手段と、強制終了信号を入力する手段と、入力された強制終了信号に対応する操作を強制終了させる手段と、を備えたものである。
【０００８】
請求項４の画像読取装置は、ユーザの操作音声を入力する手段と、入力された操作音声に対応する操作を認識する手段と、認識された操作を実行する手段と、強制終了信号を入力する手段と、入力された強制終了信号に対応する操作を強制終了させる手段と、を備えたものである。
【発明の効果】
【０００９】
請求項１及び請求項２の発明によれば、無線通信端末による遠隔操作が不可能になった場合であっても、実行が開始された操作を強制的に終了させることができる。
【００１０】
請求項３及び請求項４の発明によれば、音声認識による遠隔操作が不可能になった場合であっても、実行が開始された操作を強制的に終了させることができる。
【発明を実施するための最良の形態】
【００１１】
以下、本発明の実施形態を図面に基づいて説明する。
第１実施形態に係る画像読取記録装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、表示部９、読取部１０、記録部１１、ストップキー１２、通信中止キー１３、無線通信インターフェース〔無線通信Ｉ／Ｆ〕１４、及びＬＡＮ（local area network、構内情報通信網）インターフェース〔ＬＡＮ Ｉ／Ｆ〕１５を備えたものであり、各構成要素はバス１６を介して互いに通信可能に接続されている。
【００１２】
無線通信インターフェース１４に対しては、無線通信端末２１が無線通信可能である。無線通信としては、Bluetooth（登録商標）通信等の電波通信、ＩｒＤＡ（Infrared Data Association）通信等の赤外線通信等が挙げられる。無線通信端末２１としては、携帯電話機、ＰＨＳ（personal handy phone system）、携帯情報端末（personal digital assistant、ＰＤＡ）、ＰＨＳ内蔵携帯情報端末等が挙げられる。
【００１３】
無線通信端末２１の送信部により送信された操作信号は、無線通信インターフェース１４により受信される。操作信号が受信された場合、その操作信号に対応する操作が実行される。このように、画像読取記録装置１に対するユーザによる各種の操作は、無線通信端末２１及び無線通信インターフェース１４を通じて行われる。
【００１４】
ＬＡＮインターフェース１５は、ＬＡＮ２２に接続されている。これらＬＡＮインターフェース１５及びＬＡＮ２２は、インターネット２３に接続されている。
【００１５】
フラッシュメモリ３は、各構成要素の動作を制御するための制御プログラム等を記憶している。なお、記憶手段は、フラッシュメモリ３の他、ＨＤＤ（ハードディスクドライブ）、ＲＯＭ（read only memory、読み出し専用メモリ）等であってもよい。
【００１６】
制御部２は、ＣＰＵ（central processing unit、中央処理装置）等で構成されており、フラッシュメモリ３上の制御プログラム等に従って各構成要素の動作を制御する。
【００１７】
ＲＡＭ４は、画像読取記録装置１に関する各種の情報を一時的に記憶する。ＲＡＭ４としては、ＳＲＡＭ（static ＲＡＭ）等が挙げられる。
【００１８】
読取部１０は、原稿の画像を読み取る。画像メモリ５は、読み取られた画像を一時的に記憶する。画像メモリ５としては、ＳＤＲＡＭ（synchronous dynamic ＲＡＭ）等が挙げられる。
【００１９】
記録部１１は、記憶された画像等を電子写真方式等により記録用紙に印刷する。このように、画像読取記録装置１は、原稿の画像を読み取る手段、読み取られた画像を記憶する手段、及び記憶された画像を記録用紙に印刷する手段も備えている。
【００２０】
表示部９は、ＬＣＤ（liquid crystal display、液晶ディスプレイ）等で構成されており、各種の情報を表示する。
【００２１】
コーデック６は、読み取られた画像を送信等のためにＭＨ（modified huffman）方式、ＭＲ（modified read）方式、ＭＭＲ（modified modified read）方式等により符号化したり、受信した画像を復号化したりする。
【００２２】
モデム７は、ＩＴＵ−Ｔ（国際電気通信連合−電気通信標準化部門）の勧告Ｖ．３４規格等に従った送信データの変調及び受信データの復調を行う。
【００２３】
ＮＣＵ８は、ＰＳＴＮ（public switched telephone network、公衆電話交換網）２４に接続されており、電話回線を制御して電話をかけたり切ったりする。
【００２４】
ストップキー１２及び通信中止キー１３は、制御部２の割り込み端子等に接続されている。ストップキー１２を押し下げた場合、強制終了信号が入力され、その強制終了信号に対応しかつ実行が開始されたコピー等の操作が強制終了される。通信中止キー１３を押し下げた場合も、強制終了信号が入力され、その強制終了信号に対応しかつ実行が開始されたＦＡＸ通信、インターネットＦＡＸ通信等の操作が強制終了される。なお、実行が開始された操作を強制的に終了させるための強制終了キーは、ストップキー１２や通信中止キー１３以外のキーであってもよい。このような強制終了キーの数も、２つに限定されるものではなく、１つ又は３つ以上であってもよい。
【００２５】
上記のように構成された画像読取記録装置１は、コピー機の他、ファクス通信機、インターネットファクス通信機、ネットワークプリンタ、及びネットワークスキャナ等として機能する複合機である。画像読取記録装置１においては、無線通信端末２１により全ての操作が可能であるので、ストップキー１２や通信中止キー１３以外の操作キーは設けられていない。そのため、操作キーの削減により、画像読取記録装置１の製造コストを低減化できるという利点がある。
【００２６】
なお、画像読取記録装置１は、ＵＳＢ（universal serial bus）インターフェース等の適宜のインターフェースを介して外部コンピュータと接続され、コピー機、ファクス通信機、ローカルプリンタ、及びローカルスキャナ等として機能する複合機であってもよい。但し、画像読取記録装置１は、複合機でなくてもよく、少なくともコピー機として機能するものであればよい。
【００２７】
次に、操作の強制終了例を図２に示すフローチャートに基づいて説明する。なお、この処理は、フラッシュメモリ３上の制御プログラム等に基づいて制御部２が発行する命令に従って行われる。
【００２８】
この処理において、無線通信端末２１の送信部により操作信号が送信された場合（ステップＳ１）、送信された操作信号が無線通信インターフェース１４により受信され（ステップＳ２）、受信された操作信号に対応する操作が実行される（ステップＳ３）。
【００２９】
そして、ストップキー１２又は通信中止キー１３により強制終了信号が入力された場合は（ステップＳ４でＹＥＳ）、その強制終了信号に対応する操作が強制終了され（ステップＳ５）、処理が終了する。一方、強制終了信号が入力されていない場合は（ステップＳ４でＮＯ）、ステップＳ４に戻る。なお、強制終了信号は、無線通信端末２１による遠隔操作が不可能になった場合の他、無線通信端末２１による遠隔操作が可能な状態で入力してもよい。
【００３０】
このように、画像読取記録装置１によれば、無線通信端末２１による遠隔操作が不可能になった場合であっても、実行が開始された操作を強制的に終了させることができるという利点がある。
【００３１】
第２実施形態に係る画像読取装置３１は、図３に示すように、主な構成要素として、それぞれ第１実施形態の画像読取記録装置１と同様に構成された制御部２、フラッシュメモリ３、ＲＡＭ４、画像メモリ５、コーデック６、表示部９、読取部１０、ストップキー１２、無線通信インターフェース１４、及びＬＡＮインターフェース１５を備えたものであり、各構成要素はバス１６を介して互いに通信可能に接続されている。
【００３２】
この画像読取装置３１は、ＬＡＮインターフェース１５を介してＬＡＮ２２に接続されており、ネットワークスキャナ等として機能する。このように、画像読取装置３１は、原稿の画像を読み取る手段、及び読み取られた画像を記憶する手段も備えている。なお、画像読取装置３１は、ＵＳＢインターフェース等の適宜のインターフェースを介して外部コンピュータと接続されたローカルスキャナ等として機能するようにしてもよい。
【００３３】
上記のように構成された画像読取装置３１においては、ストップキー１２を押し下げた場合、強制終了信号が入力され、その強制終了信号に対応しかつ実行が開始された読み取り等の操作が強制終了される。なお、実行が開始された操作を強制的に終了させるための強制終了キーは、ストップキー１２以外のキーであってもよい。このような強制終了キーの数も、１つに限定されるものではなく、２つ以上であってもよい。
【００３４】
このように、画像読取装置３１においては、操作の強制終了処理が第１実施形態と同様にして実行されるので、第１実施形態と同様の利点がある。
【００３５】
第３実施形態に係る画像読取記録装置４１は、図４に示すように、第１実施形態の画像読取記録装置１と同様に構成されているが、無線通信インターフェース１４の代わりに音声入力部４２を備えたものである。
【００３６】
音声入力部４２は、マイクロフォン等で構成されており、この音声入力部４２によりユーザの操作音声が入力される。ユーザの操作音声が入力された場合、その操作音声に対応する操作が認識され、認識された操作が実行される。この際、入力された操作音声がフラッシュメモリ３上の複数の音声パターンと照合され、入力された操作音声に最も近似する音声パターンが決定され、決定された音声パターンに対応する操作が実行される。このように、画像読取記録装置４１に対するユーザによる各種の操作は、音声認識により行われる。画像読取記録装置４１においては、音声認識により全ての操作が可能であるので、ストップキー１２や通信中止キー１３以外の操作キーは設けられていない。そのため、操作キーの削減により、画像読取記録装置４１の製造コストを低減化できるという利点がある。
【００３７】
次に、操作の強制終了例を図５に示すフローチャートに基づいて説明する。なお、この処理は、フラッシュメモリ３上の制御プログラム等に基づいて制御部２が発行する命令に従って行われる。
【００３８】
この処理において、音声入力部４２によりユーザの操作音声が入力された場合（ステップＳ１１）、入力された操作信号に対応する操作が認識され（ステップＳ１２）、認識された操作が実行される（ステップＳ１３）。
【００３９】
そして、ストップキー１２又は通信中止キー１３により強制終了信号が入力された場合は（ステップＳ１４でＹＥＳ）、その強制終了信号に対応する操作が強制終了され（ステップＳ１５）、処理が終了する。一方、強制終了信号が入力されていない場合は（ステップＳ１４でＮＯ）、ステップＳ１４に戻る。なお、強制終了信号は、音声認識による遠隔操作が不可能になった場合の他、音声認識による遠隔操作が可能な状態で入力してもよい。
【００４０】
このように、画像読取記録装置４１によれば、音声認識による遠隔操作が不可能になった場合であっても、実行が開始された操作を強制的に終了させることができるという利点がある。
【００４１】
第４実施形態に係る画像読取装置５１は、図６に示すように、第２実施形態の画像読取装置３１と同様に構成されているが、無線通信インターフェース１４の代わりに音声入力部４２を備えたものである。
【００４２】
上記のように構成された画像読取装置５１においては、操作の強制終了処理が第３実施形態と同様にして実行されるので、第３実施形態と同様の利点がある。
【産業上の利用可能性】
【００４３】
以上のように、本発明に係る画像読取記録装置及び画像読取装置は、無線通信端末又は音声認識による遠隔操作が不可能になった場合であっても、実行が開始された操作を強制的に終了させる用途に適している。
【図面の簡単な説明】
【００４４】
【図１】第１実施形態に係る画像読取記録装置の構成例を示すブロック図。
【図２】操作の強制終了例を示すフローチャート。
【図３】第２実施形態に係る画像読取装置の構成例を示すブロック図。
【図４】第３実施形態に係る画像読取記録装置の構成例を示すブロック図。
【図５】操作の強制終了例を示すフローチャート。
【図６】第４実施形態に係る画像読取装置の構成例を示すブロック図。
【符号の説明】
【００４５】
１  画像読取記録装置
２  制御部
３  フラッシュメモリ
４  ＲＡＭ
５  画像メモリ
６  コーデック
９  表示部
１０  読取部
１１  記録部
１２  ストップキー
１３  通信中止キー
１４  無線通信インターフェース
２１  無線通信端末
３１  画像読取装置
４１  画像読取記録装置
４２  音声入力部
５１  画像読取装置
【図１】
2008099071.tif 000003
【図２】
2008099071.tif 000004
【図３】
2008099071.tif 000005
【図４】
2008099071.tif 000006
【図５】
2008099071.tif 000007
【図６】
2008099071.tif 000008